(57)【要約】【課題】本体部や鏡筒に過大な負荷をかけずに鏡筒の下端面がフィルタに触れることがないようにしたカメラモジュールを提供する。【解決手段】レンズ３を納めた鏡筒２と、鏡筒２を収容する本体部１とを有し、本体部１は鏡筒２の外形状に略適合する収容部１０を備えると共に、収容部１０の底面にフィルタ４を配置してなり、鏡筒２は上部に外周方向に突出した鍔部２２を備えると共に、本体部１の収容部１０に対してレンズ光軸方向に動作自在とされ、鏡筒２の下面が収容部１０内においてフィルタ４の上面より上方に配置された状態で鍔部２２が収容部１０の上面に当接するようにした。【選択図】図１
2007134850.tif 000002
【特許請求の範囲】
【請求項１】
レンズを納めた鏡筒と、該鏡筒を収容する本体部とを有し、該本体部は上記鏡筒の外形状に略適合する収容部を備えると共に、該収容部の底面にフィルタを配置してなるカメラモジュールにおいて、
上記鏡筒は上部に外周方向に突出した鍔部を備えると共に、上記本体部の収容部に対してレンズ光軸方向に動作自在とされ、上記鏡筒の下面が上記収容部内において上記フィルタの上面より上方に配置された状態で上記鍔部が上記収容部の上面に当接することを特徴とするカメラモジュール。
【請求項２】
上記収容部の上面に当接する鍔部の下面から上記鏡筒の下面までの高さは上記収容部の上面から上記フィルタの上面までの高さより小さいことを特徴とする請求項１記載のカメラモジュール。
【請求項３】
上記本体部の収容部の内周面及び上記鏡筒の外周面にはそれぞれネジ山が設けられて互いに螺合し、上記鏡筒は上記収容部に対して上記ネジ山により回転することでレンズ光軸方向に動作自在とされてなることを特徴とする請求項１記載のカメラモジュール。
【発明の詳細な説明】
【技術分野】
【０００１】
本発明は、レンズを納めた鏡筒をその外周に設けられたネジにより撮像素子やフィルタが設けられた本体部に対する位置調整を行うカメラモジュールに関し、特に本体部に対する位置調節によりフィルタを破損することのないカメラモジュールに関する。
【背景技術】
【０００２】
携帯電話等の小型電子機器に設けられるカメラモジュールは、レンズを納めた鏡筒と、鏡筒を納める本体部とからなっており、本体部にはレンズからの光を受光して画像データを出力する撮像素子が納められている。本体部にはその他にレンズと撮像素子の間に赤外線を遮断するためのフィルタが設けられている。
【０００３】
ここで、レンズと撮像素子との距離は、撮像素子において良好な画像を得るために重要であり、このため鏡筒の本体部に対する取付位置は個別的に調整がなされる。例えば特許文献１に示すように、本体部の内周面と鏡筒の外周面にはそれぞれネジ山を形成し、ネジ回転によって鏡筒を本体部に対して挿入することで、鏡筒内のレンズと撮像素子との距離を適切に調整することができる。
【特許文献１】米国特許第６４８３１０１号公報
【発明の開示】
【発明が解決しようとする課題】
【０００４】
しかし、カメラモジュールにおいては、本体部における鏡筒の収容部の下端部にフィルタを設けており、鏡筒を位置調整のために収容部の最下端部まで挿入すると、鏡筒の下端面がフィルタに接触し、フィルタを破損することがある。これを防ぐために本体部側のネジ山の形成をフィルタよりも上方までで止めておくことも考えられるが、この場合には鏡筒が最下端部まで挿入された際にネジ山に過大な負荷がかかり、強度的な問題を生じることとなっていた。
【０００５】
本発明は上記課題を鑑みてなされたものであり、本体部や鏡筒に過大な負荷をかけずに鏡筒の下端面がフィルタに触れることがないようにしたカメラモジュールを提供することを目的とする。
【課題を解決するための手段】
【０００６】
上記課題を解決するため、本発明に係るカメラモジュールは、レンズを納めた鏡筒と、該鏡筒を収容する本体部とを有し、該本体部は上記鏡筒の外形状に略適合する収容部を備えると共に、該収容部の底面にフィルタを配置してなるカメラモジュールにおいて、
上記鏡筒は上部に外周方向に突出した鍔部を備えると共に、上記本体部の収容部に対してレンズ光軸方向に動作自在とされ、上記鏡筒の下面が上記収容部内において上記フィルタの上面より上方に配置された状態で上記鍔部が上記収容部の上面に当接することを特徴として構成されている。
【０００７】
また、本発明に係るカメラモジュールは、上記収容部の上面に当接する鍔部の下面から上記鏡筒の下面までの高さは上記収容部の上面から上記フィルタの上面までの高さより小さいことを特徴として構成されている。
【０００８】
さらに、本発明に係るカメラモジュールは、上記本体部の収容部の内周面及び上記鏡筒の外周面にはそれぞれネジ山が設けられて互いに螺合し、上記鏡筒は上記収容部に対して上記ネジ山により回転することでレンズ光軸方向に動作自在とされてなることを特徴として構成されている。
【発明の効果】
【０００９】
本発明に係るカメラモジュールによれば、鏡筒は上部に外周方向に突出した鍔部を備え、鏡筒の下面が収容部内においてフィルタの上面より上方に配置された状態で鍔部が収容部の上面に当接することにより、鏡筒を本体部の収容部内で位置合わせする際に、鏡筒の下面がフィルタに接触することがなく、フィルタを保護することができると共に、鍔部と収容部の上面の当接により鏡筒を本体部で受けるので、本体部及び鏡筒に過大な負荷がかかることもない。
【００１０】
また、本発明に係るカメラモジュールによれば、収容部の上面に当接する鍔部の下面から鏡筒の下面までの高さは収容部の上面からフィルタの上面までの高さより小さいことにより、鏡筒の下面がフィルタに対する接触を確実に防止することができる。
【００１１】
さらに、本発明に係るカメラモジュールによれば、本体部の収容部の内周面及び鏡筒の外周面にはそれぞれネジ山が設けられて互いに螺合し、鏡筒は収容部に対してネジ山により回転することでレンズ光軸方向に動作自在とされてなることにより、鏡筒の本体部に対する位置合わせを容易に行うことができる。
【発明を実施するための最良の形態】
【００１２】
本発明のカメラモジュールの実施形態について図面に沿って詳細に説明する。図１には、本実施形態におけるカメラモジュールの断面図を示している。この図に示すように、本実施形態におけるカメラモジュールは、ベースとなる本体部１と、本体部１に収容される鏡筒２とから構成されている。
【００１３】
本体部１は、下部が略箱状に形成されており、その底面には撮像素子５が配置されている。撮像素子５は、光電変換素子を平面上に多数配置してなるものであり、撮影対象からの光を受光し、それを画像データとして出力するものである。
【００１４】
また、本体部１の上部には、筒状の収容部１０が形成されており、その内部に鏡筒２を納めることができるように、内径は鏡筒２の外径に略適合するように形成されている。また、収容部１０の内周面１１にはその略全長に渡って本体部側ネジ山１３が形成されている。さらに、収容部１０の底面１２には、開口部１２ａが形成されていて、この開口部１２ａから下方に配置された撮像素子５に光を導くようにしている。
【００１５】
収容部１０の底面には、開口部１２ａを覆うように平板状のフィルタ４が配置される。フィルタ４は、外部からの光のうち赤外線を遮断するＩＲフィルタである。フィルタ４は底面側で収容部１０の底面に対して固定され、また後述するようにフィルタ４の上面に鏡筒２の下面が接触しないように鏡筒２が構成されている。
【００１６】
鏡筒２は略筒状に形成されると共に、上端部には周方向全周に渡って外周方向に突出する鍔部２２が形成されている。鏡筒２の内周面にはレンズ３が納められて、撮影対象からの光を集光する。上述のようにレンズ３により集光された光はフィルタ４を介して撮像素子５によって受光され、画像データとして出力される。
【００１７】
鏡筒２の外周面２０には、本体部１の収容部１０の内周面１１に形成された本体部側ネジ山１３に対応して鏡筒側ネジ山２１が形成されている。これにより、鏡筒側ネジ山２１を本体部１の本体部側ネジ山１３に対してネジ回転させることにより、鏡筒２を本体部１の収容部１０に対してレンズ３の光軸方向に移動自在とすることができる。また、ネジ回転を止める位置により、鏡筒２のレンズ３の光軸方向位置を決めることができるので、レンズ３と撮像素子５の間の距離を容易に調整することができる。
【００１８】
ここで鏡筒２は、収容部１０に対する挿入の最下端位置においてその下面がフィルタ４の上面に接触しないように構成されている。このために鏡筒２を収容部１０に対しネジ回転により挿入していくと、鏡筒２の下面がフィルタ４の上面に接触するより先に、鏡筒２の上部に形成された鍔部２２の下面が収容部１０の上面に当接するようにしている。
【００１９】
図２には、鏡筒２を収容部１０に最下端まで挿入した状態のカメラモジュールの断面図を示している。この図に示すように、鏡筒２を本体部１の収容部１０に挿入すると、鏡筒２の下面が収容部１０内においてフィルタ４の上面より上方に配置された状態において、鏡筒２の鍔部２２の下面である当接面２３が収容部１０の上面である被当接面１４に当接し、それ以上下方に挿入できない状態となる。
【００２０】
このために、鏡筒２の鍔部２２の当接面２３から鏡筒２の下面までの高さは、本体部１の収容部１０の被当接面１４からフィルタ４の上面までの高さより小さくなるように形成されている。これによって、鏡筒２を収容部１０に対し挿入しても、鏡筒２の下面がフィルタ４に接触するより先に鏡筒２の鍔部２２の当接面２３が本体部１の収容部１０の被当接面１４に当接するので、鏡筒２の下面がフィルタ４に接触することがなく、レンズ３位置の調整によりフィルタ４を破損することがない。また、鏡筒２の周方向全周に形成された鍔部２２の下面を、本体部１の収容部１０上面により面状に受けて鏡筒２の下方への移動を停止させるので、本体部１及び鏡筒２に過大な負荷がかかることがない。
【００２１】
以上、本発明の実施形態について説明したが、本発明の適用はこれら実施形態に限られるものではなく、その技術的思想の範囲内において様々に適用されうるものである。
【図面の簡単な説明】
【００２２】
【図１】本実施形態におけるカメラモジュールの断面図である。
【図２】鏡筒を収容部に最下端まで挿入した状態のカメラモジュールの断面図である。
【符号の説明】
【００２３】
１    本体部
２    鏡筒
３    レンズ
４    フィルタ
５    撮像素子
１０    収容部
１３    本体部側ネジ山
２１    鏡筒側ネジ山
２２    鍔部
【図１】
2007134850.tif 000003
【図２】
2007134850.tif 000004